(57)【要約】【課題】二個の制御基板収納ケースから作った一個の不正な制御基板収納ケースもその痕跡から不正を発見できる制御基板収納ケースの不正開放防止機構を提供する。【解決手段】台板２２に立設される支持板３４に切断可能な切離し片３７を介し係合孔３９が開設される連結片３８を連接し、基板カバー２４の裏側一側に枠部材４６を固着すると共に該枠部材４６内に係合空間４７を形成し、基板カバー２４に係合空間４７と切欠５３を介して連通するピン嵌合筒部５４を突設し、係合空間４７内に基板カバー２４のスライド方向と直交する面内で可動し非ロック状態で先端部が係合孔３９に臨むと共に基端部５６ｄがピン嵌合筒部５４内に介入するロック部材５５を配置し、ピン嵌合筒部５４に圧入した封印ピン６０でロック部材５５を可動することにより該ロック部材５５の先端部が係合孔３９に係合してロック状態が保持される。【選択図】図９
2010239998.tif 000002
【特許請求の範囲】
【請求項１】
遊技機に取り付けられる台板と該台板に制御基板を挟みかつ密閉するようにして取着される基板カバーとからなる制御基板収納ケースの不正開放防止機構であって、
前記台板の表面一側に支持板を立設すると共に該支持板に外部から切断可能な切離し片を介して係合孔が開設される連結片を連接し、前記基板カバーの裏側一側に枠部材を固着すると共に、前記枠部材内に前記基板カバーを前記台板にスライドさせて重ねたとき前記支持板の前記連結片が挿入される係合空間を形成し、前記基板カバーに前記係合空間内に位置しかつ切欠を介して該係合空間と連通するピン嵌合筒部を一体に突設し、前記係合空間内には前記基板カバーのスライド方向と直交する面内で可動するロック部材を配置し、前記ロック部材は非ロック状態でその先端部が前記係合孔に臨むと共に基端部が前記切欠を介して前記ピン嵌合筒部内に介入しており、
外部から前記ピン嵌合筒部に封印ピンを圧入することにより、前記封印ピンで前記ロック部材が押動されて可動し該ロック部材の先端部が前記係合孔に係合してロック状態が保持されるようにしたことを特徴とする制御基板収納ケースの不正開放防止機構。
【請求項２】
前記枠部材が前記制御基板の外形輪郭の内側に配置されている請求項１記載の制御基板収納ケースの不正開放防止機構。
【発明の詳細な説明】
【技術分野】
【０００１】
本発明は、遊技機の遊技動作を制御する制御基板が収納された制御基板収納ケースの不正開放防止機構に関するものである。
【背景技術】
【０００２】
従来、遊技機の代表的なものとしてパチンコ遊技機が有るが、該パチンコ遊技機にはその遊技動作を制御する制御基板を収納した制御基板収納ケースが備えられている。具体的には、制御基板により賞球の払出制御、電動役物の開閉制御、図柄の組合せの発生確率などの動作を制御しており、パチンコ遊技機の動作を制御する中枢的な役割を果している。ところで、前記制御基板は、遊技者にとっても利益に係わる重要なものだけにいろいろ問題が有る。すなわち、前記制御基板に装着されたＲＯＭを、遊技者に有利になるように予めプログラムされたＲＯＭと勝手に交換して制御基板を改造してしまうという不正行為が横行していた。
【０００３】
この対応策として、ＲＯＭを勝手に交換するという不正を行なうべく基板カバーを開いたときその痕跡が外部から容易に視認できるように、制御基板収納ケースに不正開放防止機構を設けるようにしている。該不正開放防止機構としては、例えば次のようなものがある。すなわち、該不正開放防止機構は、収納ケースの外側に複数設けられ、台板の外側にケース連結部を介して連結されたケース係合部と、基板カバーの外側にカバー連結部を介して連結されたカバー係合部と、これらケース係合部とカバー係合部が対向して重なって形成される係合用空間部内に配設される接続部材と、からなっている。そして、ケース係合部とカバー係合部が対向して重なったときに、接続部材が係合空間内においてケース係合部およびカバー係合部のそれぞれから突設した係止突起と係合し、台板に基板カバーが被さりロック状態で保持される（例えば、特許文献１参照。）。ただ、不正開放防止機構は、場合に応じて一個ずつ順に使用される。
【０００４】
通常、パチンコ遊技機の組立工場で出荷される前に制御基板の検査が行なわれる。これに合格すれば、台板に基板カバーを取り付けると共に一つの不正開放防止機構でケース係合部とカバー係合部を対向して重ね、係合空間内において接続部材にケース係合部およびカバー係合部のそれぞれから突設された係止突起を係合させてロック状態を保持する。次に、遊技ホールで、制御基板収納ケース内の制御基板を検査する場合は、ロック状態にある前記不正開放防止機構で前記連結部をニッパー等の工具で切断して該不正開放防止機構を分離し、基板カバーを開放して制御基板の検査を行なう。その検査に合格すれば、次の不正開放防止機構でケース係合部とカバー係合部を対向して重ね、前記と同様にしてロック状態を保持する。
【先行技術文献】
【特許文献】
【０００５】
【特許文献１】特開２００３−３４００９４号公報（第３−７頁、図１、図４）
【発明の概要】
【発明が解決しようとする課題】
【０００６】
ところで、通常、不正開放防止機構を備えた制御基板収納ケースを二個揃えると、たとえこれらの該不正開放防止機構がロック状態であっても、これらのうちの一方は台板を破壊して基板カバーを残し、また、他方は逆に基板カバーを破壊して台板を残すようにし、これら破壊しなかった一方の台板と他方の基板カバーとを組み合わせるようにすると、一個の新しい制御基板収納ケースが出来上がる。よって、台板に基板カバーを取り付ける際に、制御基板のＲＯＭを予め改造したＲＯＭと入れ替えて、あたかも不正されていないように欺く行為がしばしば発生している。これは、接続部材にケース結合部側の係止突起とカバー係合部側の係止突起とが外す方向でありかつほぼ直線上の位置で係止している関係から、そのいずれか一方を排除すれば、他方の係止突起から接続部材を取り外すことが簡単に行なえるからである。このため、この不正行為に対する解決策が急がれている。
【０００７】
そこで、本発明は上記課題に鑑みてなされたもので、このように二個の制御基板収納ケースをそれぞれ分解して一個の不正な制御基板収納ケースを作った場合も、その痕跡が明らかに残るようにしてその不正を見破ることができるようにした制御基板収納ケースの不正開放防止機構を提供することを目的とするものである。
【課題を解決するための手段】
【０００８】
かかる目的を達成するため本発明の制御基板収納ケースの不正開放防止機構は、遊技機に取り付けられる台板と該台板に制御基板を挟みかつ密閉するようにして取着される基板カバーとからなる制御基板収納ケースの不正開放防止機構であって、前記台板の表面一側に支持板を立設すると共に該支持板に外部から切断可能な切離し片を介して係合孔が開設される連結片を連接し、前記基板カバーの裏側一側に枠部材を固着すると共に、前記枠部材内に前記基板カバーを前記台板にスライドさせて重ねたとき前記支持板の前記連結片が挿入される係合空間を形成し、前記基板カバーに前記係合空間内に位置しかつ切欠を介して該係合空間と連通するピン嵌合筒部を一体に突設し、前記係合空間内には前記基板カバーのスライド方向と直交する面内で可動するロック部材を配置し、前記ロック部材は非ロック状態でその先端部が前記係合孔に臨むと共に基端部が前記切欠を介して前記ピン嵌合筒部内に介入しており、外部から前記ピン嵌合筒部に封印ピンを圧入することにより、前記封印ピンで前記ロック部材が押動されて可動し該ロック部材の先端部が前記係合孔に係合してロック状態が保持されるようにしたことを特徴とする。
【０００９】
この際、前記枠部材が前記制御基板の外形輪郭の内側に配置されていることが好ましい。
【発明の効果】
【００１０】
本発明に係る制御基板収納ケースの不正開放防止機構は、ロック部材が係合する連結片が天壁と枠部材との間に形成される係合空間内に位置し、しかも、封印ピンをピン嵌合筒部に圧入することにより連結片に係合したロック部材が可動不能に設けられている。よって、二個の制御基板収納ケースから破損個所のない台板、基板カバー、ロック部材をそれぞれ取り出しこれらを順に組み立てようとしても、ロック部材が基板カバーのスライド方向と直交する面内で可動するように配置されロック部材が基板カバーの取り外し方向とは位置を違えて設けられており、しかも、封印ピンは圧入されて外すことができず、また、ロック部材は封印ピンに押され既に連結片に係合した位置にきているので、連結片の係合孔にロック部材の先端部を係合させることは不可能となる。そこで、やむなく封印ピンをドリル等の工具で取り除くほかなくなるが、この封印ピンを取り除くとその痕跡が残る。これにより、二個の制御基板収納ケースをそれぞれ分解して一個の不正な制御基板収納ケースを作った場合も、その痕跡が明らかに残りその不正を見破ることができるという効果が有る。
【００１１】
また、枠部材を制御基板の外形輪郭の内側に配置するようにすれば、その分、基板カバーを小さく形成でき制御基板収納ケースをコンパクトになしえ、遊技機の裏面など狭い取付スペースにあっても取り付け易くなり至便であるという効果が有る。
【図面の簡単な説明】
【００１２】
【図１】本発明が適用されるパチンコ遊技機の正面図。
【図２】同背面図。
【図３】本発明に係る制御基板収納ケースの斜視図。
【図４】同表側から見た分解斜視図。
【図５】同裏側から見た分解斜視図。
【図６】（イ）（ロ）（ハ）は同基板カバーの組み立て手順を示す斜視図。
【図７】（イ）は台板に取着する前の基板カバーの平面図、（ロ）は図７（イ）のＶ−Ｖ線断面図。
【図８】（イ）は台板に取着した後の基板カバーの平面図、（ロ）は図８（イ）のＷ−Ｗ線断面図。
【図９】（イ）は制御基板収納ケースの一部の平面図、（ロ）は図９（イ）のＸ−Ｘ線断面図、（ハ）は同ロック状態の制御基板収納ケースの断面図。
【図１０】他の実施の形態に係る制御基板収納ケースの表から見た分解斜視図。
【図１１】同制御基板収納ケースの裏から見た分解斜視図。
【図１２】（イ）は同制御基板収納ケースの平面図、（ロ）は図１２（イ）のＹ−Ｙ線断面図、（ハ）は図１２（イ）のＺ−Ｚ線断面図。
【発明を実施するための形態】
【００１３】
以下、本発明に係る制御基板収納ケースの不正開放防止機構の最良の実施の形態を図面に基づき詳しく説明する。本発明は、パチンコ遊技機、アレンジボール遊技機、雀球遊技機、メダルまたはパチンコ球を遊技媒体として用いる回動式遊技機等の遊技機に適用されるが、この内、本発明はパチンコ遊技機に適用される場合について説明する。図１は、本発明が適用されるパチンコ遊技機の正面図、図２は同背面図である。パチンコ遊技機Ｐは縦長長方形状の機枠１を有し、該機枠１の前側に遊技盤３を配設した本体枠２が開閉自在に軸着される。遊技盤３の前面に、渦巻き状に敷設された内側・外側ガイドレール４ａ，４ｂにより囲われるようにして遊技領域である遊技部３ａが形成される。
【００１４】
前記遊技部３ａには、例えばその中央に文字、数字等の図柄を変動表示する変動表示装置５が配設される。また、その下方に遊技部３ａに打ち込まれた遊技球が入賞することにより変動表示装置５に表示した図柄を変動させる始動入賞口６が配置され、更に、その下方に一度に多くの入賞球を発生する大型の入賞装置７が配置される。遊技部３ａの中央下縁に、遊技部３ａに打ち込まれた遊技球すなわちパチンコ球であっていずれの入賞口にも入賞しなかったパチンコ球をアウト球として遊技盤３の後側へ排出するアウト球口８が設けられている。
【００１５】
前記本体枠２の前面一側に、遊技盤３の前面を覆う透明板保持枠９が軸着される。該透明板保持枠９は、額縁状に形成されると共に該透明板保持枠９にガラス板または合成樹脂板からなる透明板９ａが装着される。また、透明板保持枠９の下方に、打球発射位置（図示せず。）に供給するパチンコ球を貯留するための球受皿１０が軸着される。該前板１１の一側に位置して遊技部３ａに打ち込まれるパチンコ球の打球力を調整するための打球力調整ハンドル１４が装着されている。
【００１６】
図２に示すように、パチンコ遊技機Ｐの裏面に遊技盤３を覆うようにして機構板１５が設けられる。該機構板１５は中央に開口１６が開設されると共に、該開口１６に対応位置して遊技盤３の裏面が臨むようになっている。機構板１５の裏面には、その上部に球タンク１８が配設されると共にその下方に該球タンク１８から排出されるパチンコ球を下流へ誘導するタンクレール１９が配置される。また、該タンクレール１９の下流端に、屈曲レール２０を介して球払出装置２１が設けられる。該球払出装置２１から排出されたパチンコ球は、前記球受皿１０に貯留されることになる。そして、前記機構板１５の裏面下部に、本発明に係る制御基板収納ケースＡが取着される。
【００１７】
次に、前記制御基板収納ケースＡについて説明する。図３は本発明に係る制御基板収納ケースの斜視図、図４は同表側から見た分解斜視図、図５は同裏側から見た分解斜視図である。制御基板収納ケースＡは、機構板１５の裏面に着脱自在に取り付けられる台板２２と遊技動作を制御する制御基板２３と基板カバー２４とからなり、制御基板２３を挟むようにして台板２２に基板カバー２４が密閉状に取り付けられる。
【００１８】
台板２２は透明な合成樹脂材からなり所定大の長方形状をなし、その基板２５における表面の長手方向の一側縁に支持板としての第一支持板２６が一体に立設される。第一支持板２６には、その内面中央に断面Ｌ型のフック２７が突設されている。また、第一支持板２６の両側に近接させ基板２５の表面に突起２８，２８が設けられている。これら突起２８，２８は、後記する支持板としての第二支持板３４を熱融着して基板２５に一体に固着するためのものである。基板２５の短手方向に沿った両側縁に外側壁２９，２９が突設されると共に、それら内側に該各外側壁２９と平行をなし且つ該各外側壁２９よりも高さの低い内側壁３０が突設され、これら外側壁２９と内側壁３０との間に前記基板カバー２４を取り付けるための誘導溝３１が形成される。各誘導溝３１に、その長手方向に沿って等間隔離し外側壁２９と内側壁３０との間に差し渡される複数の係止板部３２が設けられている。なお、基板２５の表面には、該基板２５の強度を増すため格子状の畝部３３が突設されている。なお、前記第二支持板３４を第一支持板２６と分けたが、分離せずに第二支持板３４を第一支持板２６と一体に形成するようにしても良い。
【００１９】
前記第一支持板２６に沿わせるようにして基板２５の表面に、第二支持板３４が配置される。該第二支持板３４も合成樹脂材からなり、上板３５ａ、立板３５ｂ、下板３５ｃにより側断面がコ字状をなす。第一支持板２６の内面に当接する立板３５ｂには、前記第一支持板２６に設けられたフック２７が係合する長穴３６が開設されている。また、上板３５ａは立板３５ｂの中央部に設けられ、第一支持板２６とは反対方向へ伸びている。該上板３５ａの両側縁に、一対の切断可能な切離し片３７，３７を介して下板３５ｃすなわち基板２５と平行をなす連結片３８，３８が連接される。各連結片３８には、後記するロック部材５５の先端爪部５７が係合する係合孔３９が開設されている。下板３５ｃの長手方向に沿った両側に、前記基板２５に突設された突起２８，２８が挿通される通孔４０，４０が開設されている。そして、立板３５ｂの外側面を第一支持板２６の内側面に当接させると共にフック２７を長穴３６に係合させ、更に、各突起２８を各通孔４０に挿通した状態で、各通孔４０から突出する突起２８を熱融着する。これにより、第二支持板３４が基板２５に一体に固着される。
【００２０】
前記制御基板２３は前記基板２５とほぼ同じ大きさであって長方形状をなすプリント配線基板よりなる。そして、その表面にパチンコ遊技機Ｐの遊技盤３に装着された変動表示装置５の表示を制御したり、その所定表示を切り替え制御したり、入賞によって所定個数の賞球の払出し制御を行なったりする遊技プログラムが記憶されたＲＯＭ、ＣＰＵおよびコネクターといった電子部品４１が関連付けられて配置される。また、制御基板２３のほぼ対角線上に位置させて、後記する基板カバー２４側の位置決めピン６４を挿通する一対の位置決め孔４２，４２が設けられている。
【００２１】
基板カバー２４も透明な合成樹脂材からなり、天壁４３ａと対向する一側面が開放される略直方体形状をなす。そして、天壁４３ａの短手方向の一側部と長手方向の一側両角部に天壁４３ａよりも高さの低い段部４３ｂ，４３ｃ，４３ｃが形成され、これら段部４３ｂ，４３ｃに前記制御基板２３に配設された各種電子部品４１のうち主にコネクター４１が突出する複数の引出孔４４が開設されている。そして、基板カバー２４の長手方向における前記一側両角部の段部４３ｃ，４３ｃ側の上側壁４３ｄとは反対側に位置する下側壁４３ｅに、前記台板２２の第一支持板２６と同じ大きさであって該第一支持板２６が密閉状に被せられる差込口４５が開設されている。該差込口４５側の天壁４３ａの裏面に、後記するロック部材５５を収納するための枠部材４６が固着される。基板カバー２４における短手方向の両側壁４３ｆ，４３ｆの端縁に、差込口４５側を向く係止片６３が等間隔に設けられている。これら係止片６３は、前記台板２２の表面に基板カバー２４を重ね両側壁４３ｆ，４３ｆの端縁を台板２２の両側に形成された誘導溝３１に嵌め込み、該基板カバー２４を第一支持板２６側へスライドさせ差込口４５に第一支持板２６を合致させた位置で、各係止板部３２に係合することになる。
【００２２】
前記枠部材４６内には、基板カバー２４を台板２２に重ねて取り付けたとき天壁４３ａと前記第一支持壁２６とにより囲われ前記両連結片３８，３８が挿入される係合空間４７が形成される。第一支持壁２６で塞がない状態では、該係合空間４７は差込口４５側のみ開放している。枠部材４６の両側部に通孔４９，４９が開設されている。そこで、両通孔４９，４９にこれらと対応して天壁４３ａの裏面に突設した突起５０，５０を挿通すると共に、両通孔４９，４９から突出する突起５０，５０を熱融着することにより枠部材４６が固着される。また、天壁４３ａには、係合空間４７内の両側に位置して該切欠５３を介して係合空間４７と連通する両端開放のピン嵌合筒部５４が一体に突設されている。
【００２３】
前記係合空間４７内には、その両側にロック部材５５，５５が対称に位置するようにして配置される。各ロック部材５５は、支軸５６ａから延設される腕片５６ｂの先端に支軸５６ａと直交する面内で弧状に湾曲する回動片５６ｃが設けられている。該回動片５６ｃの先端部５６ｅに、前記第二支持板３４に設けられた連結片３８の係合孔３９に係合するための爪部５７が突設されている。天壁４３ａには係合空間４７内に位置して一対の軸受部５８，５８が設けられ、各ロック部材５５の支軸５６ａを各軸受部５８に軸支させる。これにより、各ロック部材５５が前記連結片３８と直交する面内、すなわち基板カバー２４が台板２２表面でスライドする方向と直交する面内で自在に回動し、非ロック状態ではそれぞれ先端爪部５７が係合孔３９に臨むと共に回動片５６ｃの後端部である基端部５６ｄが前記切欠５３を介してピン嵌合筒部５４内に介入する。また、天壁４３ａには差込口４５側の中央部に位置して複数の透孔５９ａが開設され、これら透孔５９ａ間に前記各切離し片３７に対応位置させて同じ幅の切り離し片５９が設けられる。よって、外部からこれら切離し片３７，５９を切り離すことにより、連結片３８が第二支持板３４から分離されることになる。前記切欠５３の溝幅は前記ロック部材５５の厚みとほぼ同じ寸法に設定されている。４６ａは、枠部材４６に設けられ、係合空間４７に配置されるロック部材５５の外周面に摺接して該ロック部材５５の無用な動作を防ぎ正位置に保持する保持部である。
【００２４】
前記両ピン嵌合筒部５４に封印ピン６０が圧入されるが、同時に２本の封印ピン６０を使用するものではないので、当面使用されない一本の封印ピン６０は基板カバー２４の裏側に保持される。これら封印ピン６０，６０は、ピン本体６０ａが筒状に形成され、先端が開口すると共に基端にピン本体６０ａよりも大径の平らな頭部６０ｂが一体に設けられている。そして、天壁４３ａ裏面の適宜位置に設けられた保持突起６１をピン本体６０ａの先端に挿通して封印ピン６０を支持させる。また、この状態で枠部材４６を天壁４３ａの所定の位置に固着したとき、該枠部材４６から側方へ突出する抜止片６２が該封印ピン６０の頭部６０ｂに重なり、該封印ピン６０が保持突起６１から抜け落ちるのを防止している。
【００２５】
本発明に係る制御基板収納ケースＡは上記構成からなり、次に組み立て手順について説明する。まず、図６（イ）に示すように基板カバー２４の裏面であって係合空間４７の両側に、支軸５６ａを軸受部５８に嵌入して一対のロック部材５５，５５を先端爪部５７が連結片３８の係合孔３９に臨むと共に基端部５６ｄが切欠５３を介してピン嵌合筒部５４内に介入するようにして配置する。また、保持突起６１に他方の封印ピン６０の先端部を挿通する。更に、図６（ロ）に示すようにその上から枠部材４６を被せると共に、図６（ハ）に示すように枠部材４６の各通孔４９に基板カバー２４の各突起５０を挿通すると共に各突起５０を熱融着することにより枠部材４６が基板カバー２４に固着される。このとき、枠部材４６の一側に設けた抜止片６２が他方の前記封印ピン６０の頭部６０ｂに重なり、該封印ピン６０を抜け落ちないように保持している。次に、基板カバー２４の裏面に制御基板２３を宛がい、各位置決め孔４２に基板カバー２４の裏面に設けられた位置決めピン６４を挿通して制御基板２３を基板カバー２４に一体に固定する。
【００２６】
一方、台板２２の表面であって第一支持板２６に沿わせるようにして、第二支持板３４を配置固定する。この場合も第二支持板３４は熱融着される。そして、組み立てられた前記基板カバー２４を、図７（イ）（ロ）に示すように差込口４５が第一支持板２６側に向くようにして台板２２の表面に重ねる。このとき、基板カバー２４における両側壁４３ｆ，４３ｆの端縁の各係止片６３が各誘導溝３１内に入る。この状態で、図８（イ）（ロ）に示すように基板カバー２４を第一支持板２６側へスライドさせる。これにより、基板カバー２４の差込口４５を第一支持板２６が合致して完全に塞ぎ、係合空間４７内に第二支持板３４における上板３５ａ両側の連結片３８，３８が挿入される。この状態では、図９（イ）（ロ）に示すように前記両ロック部材５５，５５が支軸５６ａを中心として連結片３８，３８と直交する面内で自在に回動し、非ロック状態で先端爪部５７が連結片３８の係合孔３９に臨むと共に基端部５６ｄが切欠５３を介してピン嵌合筒部５４内に介入するようになっている。
【００２７】
また、前記基板カバー２４における一方のピン嵌合筒部５４に、図９（ハ）に示すように外部から封印ピン６０を圧入する。ただ、必要であれば圧入前に封印ピン６０の外周面に接着剤を塗布するか、または、圧入後に封印ピン６０の頭部６０ｂの周囲に基板カバー２４の表面と共に接着剤を塗布するようにしても良い。圧入後は溶着しても良い。ただ、圧入前に封印ピン６０の外周面に接着剤を塗布するときは、多めに塗っておき、切欠５３やロック部材５５をも接着剤で一体に接着させておくと良い。更に、ピン嵌合筒部５４に封印ピン６０を圧入することにより、封印ピン６０で前記ロック部材５５が押動されて回動する。そして、該ロック部材５５の先端爪部５７が、係合孔３９に係合してロック状態が保持される。すなわち、ロック部材５５が連結片３８に係合することにより、台板２２に対し基板カバー２４が外れなくなる。
【００２８】
このようにして組み立てられた制御基板収納ケースＡは、図２に示すようにパチンコ遊技機Ｐの裏側であって賞球集合カバー１７の裏面に取着されることになる。通常、パチンコ遊技機Ｐの組立工場から出荷される前に、制御基板２３の検査をして合格したものにつき一方のピン嵌合筒部４８に封印ピン６０を圧入するようにしている。そして、パチンコホールにあって、再度検査をする場合は、制御基板収納ケースＡを取り外し、基板カバー２４の外側からニッパー等の工具を用いて基板カバー２４側の切離し片５９と第二支持板３４側の切離し片３７を切断する。これにより、ロック部材５５と係合している連結片３８が第二支持板３４から分離され、基板カバー２４がスライドさせて台板２２から取り外せることになり、ここで制御基板２３の検査を行なう。検査の結果異常のないときは、再び制御基板２３を基板カバー２４に取り付けると共に該基板カバー２４を前記と同様の手順により台板２２に取り付ける。この際、抜止片６２を切離してそれまで基板カバー２４内に保持されていた封印ピン６０を他方のピン嵌合筒部５４に圧入して再びロック状態とする。
【００２９】
前記２本の封印ピン６０，６０にあって、先に圧入された封印ピン６０と後に圧入された封印ピン６０とは異なる色が着色され区別できるようにしている。これは、一回目と二回目とでそれぞれ使われる封印ピン６０の色を決めておき、一回目なのか二回目なのか、更には、基板カバー２４が不正に開放されたかが、つぶさに分かるようにするためである。
【００３０】
以上のように、本発明に係る制御基板収納ケースの不正開放防止機構は、ロック部材５５が係合する連結片３８が枠部材４６内に形成される係合空間４７に位置し、しかも、封印ピン６０をピン嵌合筒部５４に圧入することにより連結片３８に係合したロック部材５５が回動不能に設けられる。よって、二個の制御基板収納ケースから破損個所のない台板２２、基板カバー２４、ロック部材５５をそれぞれ取り出してこれらを順に組み立てようとしても、連結片３８に対しロック部材５５及び封印ピン６０が基板カバー２４の取り外し方向とは位置を違えて設けられており、しかも、封印ピン６０は圧入されて外すことができず、また、ロック部材５５は封印ピン６０に押され既に連結片３８に係合した位置にきているので、連結片３８の係合孔３９にロック部材５５の先端爪部５７を係合させることは不可能となる。このため、やむなく封印ピン６０をドリル等の工具で取り除くほかなくなる。そこで、この封印ピン６０を取り除くとその痕跡が残る。よって、二個の制御基板収納ケースをそれぞれ分解して一個の不正な制御基板収納ケースを作った場合も、その痕跡が明らかに残りその不正を見破ることができる。
【００３１】
また、枠部材４６を制御基板２３の外形輪郭の内側に配置するようにしているので、その分、基板カバー２４も小さく形成でき、ひいては制御基板収納ケースＡをコンパクトに形成できる。
【００３２】
図１０乃至図１２は他の実施の形態に係る制御基板収納ケースＢを示すもので、本発明の実施の形態と同等の効果を有する。次に、この構成及び作用・効果を説明するが、本発明に係る制御基板収納ケースＡと他の実施の形態に係る制御基板収納ケースＢは構成上似ているので、同一部位は同一番号を附すことにより詳しい説明は省略する。図１０は他の実施の形態に係る制御基板収納ケースの表から見た分解斜視図、図１１は同制御基板収納ケースの裏から見た分解斜視図である。他の実施の形態に係る制御基板収納ケースＢも、台板７２と、遊技動作を制御する制御基板２３と、基板カバー７４とからなり、制御基板２３を挟むようにして台板７２に基板カバー７４が密閉状に取り付けられる。
【００３３】
台板７２は透明な合成樹脂材からなり制御基板２３より後記する枠部材８０を取り付ける分少し大きく長方形状をなす。そして、その基板７５における表面の短手方向の一側にその一側縁と平行をなす第一仕切壁７６が設けられ、該第一仕切壁７６とその一側縁との間にその一側縁に沿って所定間隔離して一対の支持板７７，７７が突設されている。各支持板７７には、長手方向であって同じ方向すなわち基板カバー７４を基板７５表面をスライドさせて取り付けるときそのスライドする方向に対し対向する方向に向かって基板７５と平行な連結片３８が切離し片３７を介して一体に設けられ、該各連結片３８に係合孔３９が開設される。また、基板７５の短手方向の両側縁に外側壁２９，２９が突設されると共に、それら内側に該各外側壁２９と平行をなし且つ該各外側壁２９よりも高さの低い内側壁３０，３０が突設され、これら外側壁２９と内側壁３０との間に前記基板カバー７４を取り付けるための誘導溝３１が形成される。各誘導溝３１には、その長手方向に沿って等間隔離して外側壁２９と内側壁３０との間に差し渡される複数の係止板部３２が設けられる。なお、基板７５の表面に、該基板７５の強度を増すため格子状の畝部３３が突設されている。基板７５の表面には基板カバー７４がその長手方向に沿ってスライドして取り付けられるが、その表面の長手方向の一側縁に該基板カバー７４の先端縁が当接する立壁７８が設けられている。
【００３４】
前記制御基板２３は、前記基板７５より少し小さい大きさであって長方形状をなすプリント配線基板よりなる。そして、その表面にパチンコ遊技機Ｐの遊技盤３に装着された変動表示装置５の表示を制御したり、その所定表示を切り替え制御したり、入賞によって所定個数の賞球の払出し制御を行なったりする遊技プログラムが記憶されたＲＯＭ、ＣＰＵおよびコネクターといった電子部品４１が関連付けられて配置されている。また、制御基板２３のほぼ対角線上に位置させて、基板カバー７４側の位置決めピン６４，６４が挿通される一対の位置決め孔４２，４２が設けられている。
【００３５】
基板カバー７４も透明な合成樹脂材からなり、天壁４３ａと対向する一側面が開放される略直方体形状をなす。そして、天壁４３ａの短手方向の一側部と長手方向の一側両角部に天壁４３ａよりも高さの低い段部４３ｂ，４３ｃ，４３ｃが形成され、また、短手方向の他側部に天壁４３ａよりも低く前記段部４３ｂよりも高い中間段部４３ｇが形成される。該中間段部４３ｇには、前記一対の支持板７７，７７の切離し片３７，３７に対応位置して短手方向に沿って２個の透孔５９ａ，５９ａが開設され、両透孔間に台板７２の表面に基板カバー７４を取り付けたとき前記各切離し片３７，３７にそれぞれ合致する切離し片５９，５９が設けられている。また、各切離し片５９の一側であって中間段部４３ｇに、後記する係合空間８１内に位置して両端開放のピン嵌合筒部５４が突設される。一方、段部４３ｂ，４３ｃに、前記制御基板２３に配設された各種電子部品４１のうち主にコネクター４１が突出する複数の引出孔４４が開設されている。
【００３６】
基板カバー７４の裏側には天壁４３ａと中間段部４３ｇとの境に基板カバー７４内を仕切る第二仕切壁７９が設けられ、該第二仕切壁７９とこれに近い基板カバー７４の側壁４３ｆとの間の中間段部４３ｇに、前記両ピン嵌合筒部５４，５４が配置される。各ピン嵌合筒部５４，５４の長手方向の一側の中間段部４３ｇに、後記するロック部材８２を軸支するための軸受部５８，５８が設けられる。また、図１２（ロ）に示すように中間段部４３ｇの一端部に封印ピン６０を保持するための保持突起６１が突設され、長手方向に沿った両端部とその中間部にはガイドピン５０，５０，５０が突設される。そして、前記第二仕切壁７９と側壁４３ｆとの間の中間段部４３ｇの裏側に、合成樹脂材からなる枠部材８０が被せられる。
【００３７】
該枠部材８０は天壁４３ａと対向する面が開放される略箱枠状に形成され、前記各ピン嵌合筒部５４と軸受部５８を密閉できるようにその長手方向に沿って設けられる二つの膨出部８５，８５により独立した係合空間８１，８１が形成される。また、枠部材８０における長手方向に沿った両端部と中間部にそれぞれ通孔４９が開設される。これら通孔４９に突起５０を挿通して第二仕切壁７９と側壁４３ｆとの間の中間段部４３ｇに枠部材８０を被せると、前記各通孔４９からは突起５０が突出するようになっており、これら突起５０を熱融着することにより枠部材８０が基板カバー７４に一体に固着される。枠部材８０の一端に、前記保持突起６１に保持された封印ピン６０を抜けないように支持する抜止片６２が設けられる。基板カバー７４における短手方向の両側壁４３ｆ，４３ｆの端縁に、両側角部に形成された段部４３ｃ，４３ｃとは反対側を向く複数の係止片６３が等間隔に設けられる。これら係止片６３は、前記台板７２の表面に基板カバー７４を重ねて両側壁４３ｆ，４３ｆの端縁を台板７２両側の誘導溝３１，３１に嵌め込み、該基板カバー７４を基板７５の長手方向一端の設けられた立壁７８側へスライドさせて該立壁７８に当接したとき、各係止板部３２に係合することになる。
【００３８】
基板カバー７４の裏面に枠部材８０を被せたとき、各係合空間８１内であって前記軸受部５８に軸支されてロック部材８２，８２が同じ向きで配置される。各ロック部材８２は、支軸８３ａから延設される腕片８３ｂの先端に支軸８３ａと直交する面内で弧状に湾曲する回動片８３ｃが設けられている。そして、各ロック部材８２の支軸８３ａを各軸受部５８に軸支させることにより、各ロック部材８２が前記連結片３８と直交する面内、すなわち基板カバー７４が台板７２表面でスライドする方向と直交する面内で自在に回動し、非ロック状態ではそれぞれ回動片８３ｃの先端部８３ｅが係合孔３９に臨むと共に回動片８３ｃの後端部である基端部８３ｄが前記ピン嵌合筒部５４の周面一側に開設された切欠５３を介して該ピン嵌合筒部５４内に介入している。前記切欠５３の溝幅は前記ロック部材８２の厚みとほぼ同じ寸法に設定されている。枠部材８０に、係合空間８１内に配置されるロック部材８２の外周面に摺接して該ロック部材８２無用な動作を防ぎ正位置に保持する保持部４６ａが設けられる。
【００３９】
基板カバー７４の裏面であって第二仕切壁７９と側壁４３ｆとの間の中間段部４３ｇに枠部材８０を被せて固着してから、該基板カバー７４を台板７２の基板７５表面にスライドさせて取り付けることになる。この際、基板カバー７４は基板７５の表面に沿ってその立壁７８側へスライドし、基板カバー７４が立壁７８に当接したとき、各支持板７７からそのスライド方向とは反対方向へ突出する各連結片３８が各係合空間８１内に挿入されることになる。このため、図１２（ロ）に示すように枠部材８０と基板カバー７４との間であって各連結片３８と対向する位置に、各係合空間８１と連通しかつ前記各連結片３８が挿通されるスリット８４が設けられる。また、このとき前記両切離し片３７，５９が合致する。よって、外部からこれら切離し片３７，５９を切り離すことにより、各連結片３８が各支持板７７から分離されることになる。
【００４０】
前記両ピン嵌合筒部５４，５４には外部から封印ピン６０が圧入されるが、同時に２本の封印ピン６０を使用するものではないので、当面使用されない一本の封印ピン６０は基板カバー７４の裏側に保持される。これら封印ピン６０，６０は、ピン本体６０ａが筒状に形成され、先端が開口すると共に基端にピン本体６０ａよりも大径の平らな頭部６０ｂが一体に設けられている。そして、前記保持突起６１をピン本体６０ａの先端に挿通して封印ピン６０を支持させる。また、この状態で枠部材８０を中間段部４３ｇの所定の位置に固着したとき、該枠部材８０から側方へ突出する抜止片６２が該封印ピン６０の頭部６０ｂに重なり、該封印ピン６０が保持突起６１から抜け落ちるのを防止している。
【００４１】
他の実施の形態に係る制御基板収納ケースＢは上記構成からなり、次に組み立て手順について説明する。まず、基板カバー７４裏面の両軸受部５８，５８に、それぞれ支軸８３ａを嵌入して一対のロック部材８２，８２を先端部８３ｅが連結片３８の係合孔３９に臨むと共に基端部８３ｄが切欠５３を介してピン嵌合筒部５４内に介入するようにして配置する。また、保持突起６１に他方の封印ピン６０の先端部を挿通する。この状態で、基板カバー７４の裏面の中間段部４３ｇに枠部材８０を配置すると共に、各通孔４９に各突起５０を挿通して熱融着する。これにより、枠部材８０が取り外し不能に固着される。このとき、枠部材８０の一側に設けた抜止片６２が他方の前記封印ピン６０の頭部６０ｂに重なり、該封印ピン６０を抜け落ちないように保持している。また、基板カバー７４の裏面に制御基板２３を宛がい、各位置決め孔４２に基板カバー７４の裏面に設けられた各位置決めピン６４を挿通して基板カバー２４に制御基板２３を一体に固定する。
【００４２】
このようにして組み立てられた前記基板カバー７４を、各両側壁４３ｆ，４３ｆの端縁に設けられた係止片６３が立壁７８側を向くようにして台板７２の表面に重ねる。このとき、各係止片６３が各誘導溝３１内に入る。この状態で、基板カバー７４を立壁７８側へスライドさせる。これにより、図１２（イ）（ハ）に示すように基板カバー７４の各係止片６３が台板７２の係止板部３２に夫々係合し、かつ、各支持板７７の連結片３８がスリット８４を介して係合空間８１内に挿入される。この状態では、図１２（イ）（ロ）に示すように前記両ロック部材８２，８２が支軸８３ａを中心として連結片３８，３８と直交する面内で自在に回動し、非ロック状態で回動片８３ｃの先端部８３ｅが連結片３８の係合孔３９に臨むと共に基端部８３ｄが切欠５３を介してピン嵌合筒部５４内に介入するようになっている。
【００４３】
次に、前記基板カバー７４における一方のピン嵌合筒部５４に、図１２（ロ）に示すように外部から封印ピン６０を圧入する。ただ、必要であれば圧入後に封印ピン６０の頭部６０ｂの周囲に基板カバー７４の表面と共に接着剤を塗布するようにしても良い。更に、ピン嵌合筒部５４に封印ピン６０を圧入することにより、封印ピン６０で前記ロック部材８２が押動されて回動する。そして、該ロック部材８２の先端部８３ｅが、係合孔３９に係合してロック状態が保持される。この場合詳しくは、ロック部材８２における回動片８３ｃの外周面が係合孔３９の内周面に圧接することになる。これにより、台板７２に対し基板カバー７４が外れなくなる。
【００４４】
このようにして組み立てられた制御基板収納ケースＢも、図２に示すようにパチンコ遊技機Ｐの裏側に取着されることになる。パチンコ遊技機Ｐの組立工場から出荷される前に、制御基板２３の検査をして合格したものにつき一方のピン嵌合筒部５４に封印ピン６０を圧入する。そして、パチンコホールにあって、再度検査をする場合は、制御基板収納ケースＢを取り外し、基板カバー７４の外側からニッパー等の工具を用いて基板カバー７４側の切離し片５９と支持板７７側の切離し片３７を切断する。これにより、ロック部材８２と係合している連結片３８が支持板７７から分離され、基板カバー７４が台板７２からスライドさせて取り外せることになり、ここで制御基板２３の検査を行なう。検査の結果異常のないときは、再び制御基板２３を基板カバー７４に取り付けると共に該基板カバー７４を前記と同様の手順により台板７２に取り付ける。この際、他方のピン嵌合筒部５４に、それまで基板カバー７４内に保持されていた封印ピン６０を圧入して再びロック状態とする。
【００４５】
前記２本の封印ピン６０，６０にあって、先に圧入された封印ピン６０と後に圧入された封印ピン６０とは異なる色が着色され区別できるようにしている。これは、一回目と二回目とでそれぞれ使われる封印ピン６０の色を決めておき、一回目なのか二回目なのか、更には、基板カバー７４が不正に開放されたかが、つぶさに分かるようにするためである。
【００４６】
このように、他の実施の形態に係る制御基板収納ケースの不正開放防止機構にあっても、ロック部材８２が係合する連結片３８が枠部材８０内に形成される係合空間８１内に位置し、しかも、封印ピン６０をピン嵌合筒部５４に圧入することにより連結片３８に係合したロック部材８２が回動不能に設けられる。よって、二個の制御基板収納ケースから破損個所のない台板７２、基板カバー７４、ロック部材８２をそれぞれ取り出しこれらを順に組み立てようとしても、連結片３８に対しロック部材８２及び封印ピン６０が基板カバー７４の取り外し方向とは位置を違えて設けられており、しかも、封印ピン６０は圧入されて外すことができず、また、ロック部材８２は封印ピン６０に押され既に連結片３８に係合した位置にきているので、連結片３８の係合孔３９にロック部材８２を係合させることは不可能となる。このため、やむなく封印ピン６０をドリル等の工具で取り除くほかなくなる。そこで、この封印ピン６０を取り除くとその痕跡が残る。よって、二個の制御基板収納ケースをそれぞれ分解して一個の不正な制御基板収納ケースを作った場合も、その痕跡が明らかに残りその不正を見破ることができる。
【００４７】
本実施の形態または他の実施の形態にあって、ロック部材５５，８２は基板カバー２４，７４のスライド方向と直交する面内で回動させたが、他に直線的に移動させるようにしても良いことは勿論である。
【符号の説明】
【００４８】
２２            台板
２３            制御基板
２４            基板カバー
２６            支持板（第一支持板）
３４            支持板（第二支持板）
３７            切離し片
３８            連結片
３９            係合孔
４３ａ          天壁
４６            枠部材
４７            係合空間
５３            切欠
５４            ピン嵌合筒部
５５            ロック部材
５６ｄ          基端部
５７            爪部
６０            封印ピン
Ａ              制御基板収納ケース
Ｐ              遊技機（パチンコ遊技機）
【図１】
2010239998.tif 000003
【図２】
2010239998.tif 000004
【図３】
2010239998.tif 000005
【図４】
2010239998.tif 000006
【図５】
2010239998.tif 000007
【図６】
2010239998.tif 000008
【図７】
2010239998.tif 000009
【図８】
2010239998.tif 000010
【図９】
2010239998.tif 000011
【図１０】
2010239998.tif 000012
【図１１】
2010239998.tif 000013
【図１２】
2010239998.tif 000014